(57)【要約】　　　（修正有）【課題】昼間は勿論、特に夜間の使用にも耐え、準備、事後等の各処理作業に簡便な用具を提供する。【解決手段】糞取り具に懐中電灯１を取り付けて夜間の足元の照明と糞の処理そのものに明るさを提供すると共に携行への便宜のため、汚れることを前提に、糞取り具にカバー５を設け、また、糞の収納袋１９のぶらぶらすることを防ぐ方法を付加し、携行時の便宜を図った。カバーには開口部を設けることにより過大なサイズにならぬような工夫をした。【選択図】　　図２
0003098309.tif 000002
【実用新案登録請求の範囲】
【請求項１】
懐中電灯を取り付けた糞取り用具
【請求項２】
本案図１、図４において、操作レバー７（以下レバーと称する）を図４の矢印３２の方に引く時、カバー５は開口部２９があるため、懐中電灯に当たらず矢印３６の上方に円滑に開き、糞を矢印３７の方向から回収できるが、この際、回収作業は極めて近接した懐中電灯１の灯下で夜中でも行え、また、レバー７を矢印３３の方向に押せば、カバー５は矢印３６の下方に円滑に閉じて汚れた糞受部３０をカバーし、同時に糞受け袋１９の下方を駆動バー袋抑え部１３（以下袋抑えと称する）が糞受け袋取り付け枠前部２１（以下前部と称する）の方に押し付けて揺れを防止し、携行が可能になる。この構造により本案懐中電灯付き糞取用具は、夜間回収作業と携行照明とに共用できるが、この共用はカバー５に開口部２９を設け、レバー７の操作時に懐中電灯がカバー５にぶつからぬように工夫したため可能になったものであり、この、懐中電灯を取り付けた糞取り用具を夜間の極めて近接した灯下での回収作業時及び携行散歩時の共用を可能にした開口部を設けたカバーの構造。
【請求項３】
〔図２〕〔図３〕〔図４〕において、レバー７を〔図４〕矢印３２の方向に動かせば、カバー５は開口部２９があるため懐中電灯に当たらず、円滑に矢印３６の上方に動き、同時にカバー５の立ち上がり部６に連接された駆動バー１０（以下バーと称する）、バーに取り付けられ駆動バー移動軸移動溝１８（以下移動溝と称する）にセットされた駆動バー移動軸１２（以下移動軸と称する）、それに連なる袋抑え１３のそれぞれが連動して手前側に引き寄せられ、袋抑え１３に抑えられて口が閉じられていた糞受け袋１９の口が開き、矢印３７の方向からの糞の収納が可能になる。レバー７を３３の方向に動かせばカバー７は矢印３７に従って閉じ、袋抑え１３は矢印３４の向う側に押され、糞受け袋１９は袋抑え１３と枠前部２１との間に挟まれ、糞を取り込んでぶら下がった糞袋の糞の部分を除く大半の動きが押さえられ、握り部を兼ねた懐中電灯１を手に持って下に提げての携行に便利となる。このレバー７、袋抑え１３、枠前部とによって構成される袋の揺れ防止の構造。
【請求項４】
糞の掬い取り用具に臭気を防ぎ、携行移動を容易にするための開閉容易なカバーをつけた糞取り用具の構造。
【考案の詳細な説明】
【０００１】
〔考案の属する技術分野〕
近年、無味乾燥な文明社会からの回避と心の癒しのよりどころとを求めてのペットブームが起きている。しかし、日常の犬を連れての散歩時の糞の放置等について惹起される社会的問題は無視することができない。とりわけ、犬の飼主の糞の処理は、飼主のモラルに依存する性格のものであり、飼主のマナーを指弾する声が絶えない。一方では、自然を大切にとか、自然に親しむとかの自然回帰への都会人の願望から自然環境の保護の声は大きいのではあるが、あちこちに犬の糞が転がる路傍の現状は、余りに無残である。これが放置できない現状でありながら、とりたててのそのための対策といえば、これらの社会的要望を満たすには十分とはいえない携帯用の糞取り具の考案程度というのが一方での事情であり、環境浄化のための飼主のモラル向上を言う前に、便利な処理具を提供することも重要な課題である。
【０００２】
〔従来の技術〕
今まで多くの糞取り具が工夫され、販売されてきたが、多くの場面で見る飼主の姿は、小さなスコップにポリ袋というスタイルで、工夫され、販売されたものが実際に使われる場面は極めて稀である。それは、使う人の「必要」を原点に考えて来なかった結果と考えられる。特に夜間の糞取り具については、見るべきものがなかった。
【０００３】
〔考案の解決しようとする課題〕
本案は〔０００１〕に示す課題の解決の目的に沿って、昼間は勿論、特に夜間の使用にも耐え、準備、事後等の各処理作業に簡便な用具の提供を目的として考案したものである。
【０００４】
〔課題を解決しようとする手段〕
本案は、懐中電灯を取り付け、夜間の糞収納作業の合理化、携行時に袋がブラブラと揺れないよう固定し、汚れ防止カバーなどの構造を備え、課題を解決しようとする手段としていることを特徴としている。
【０００５】
〔考案の実施の形態１〕
本案図１、図４において、レバー７を図３の矢印３２の方に引く時、カバー５には開口部２９があるためカバー５は懐中電灯に当たらず、円滑に矢印３６の上方に開き、糞を矢印３７の方向から回収できるが、この際、回収作業は極めて近接した懐中電灯の灯下で夜中でも行え、また、レバー７を矢印３３の方向に押せば、カバー５は矢印３６の下方に円滑に閉じて汚れた糞受部３７をカバーし、同時に糞受け袋１９の下方を袋抑え部１３が枠前部２１の方に押し付け揺れを防止、携行が可能になる。こうして本案懐中電灯付き糞取用具は、カバー５に開口部２９を設け、レバー７の操作時に懐中電灯がカバー５にぶつからぬように工夫したことにより回収作業時と携行時に円滑に転用共用できるようになった。
【０００６】
〔考案の実施の形態２〕
〔図２〕〔図３〕〔図４〕において、レバー７を〔図４〕矢印３２の方向に動かせば、カバー５は矢印３６の上方に動き、同時にカバー５の立ち上がり部６に連接されたバー１０の移動軸１２は糞受プレート８の側面に設けられた移動溝１８上を、また、それに連なる袋抑え１３も連動して矢印３４の手前側に引き寄せられ、袋抑え１３に抑えられて口が閉じられていた糞袋１９の口が開き、矢印３７の方向からの糞の収納が可能になる。レバー７を３３の方向に動かせばカバー７は矢印３７に従って閉じ、袋抑え１３は矢印３４の向う側に押され、糞袋１９は袋抑え１３と枠前部２１との間に挟まれ、取り込んだ糞袋のぶらぶらする部分の大半の動きが押さえられ、カバー５は、糞受けプレート８及び糞袋の口を覆い、臭気と周囲への汚れを防ぎ、握り部１（懐中電灯の握り部）を手に持って下に提げての携行に便利構造となっている。
【０００７】
〔考案の実施の形態３〕
本案に使用する糞袋は特定のものを必要とせず、取り付け枠の口径と同じか、より大きな寸法のものであれば、台所用等の一般市販のポリエチレン製等の袋で十分であり、安価かつ入手が容易である。
【図面の簡単な説明】
【図１】平面図　矢印（１６）（１７）を結ぶ線を中心として左右対称形
【図２】側面図
【図３】正面図、〔図１〕矢印（２３）（２４）を結ぶ線を中心とした断面図
矢印（２３）（２４）を結ぶ線を中心として左右対称形
【図４】機能説明図
【符号の説明】
１　　懐中電灯（携行時の握り部となるもの）
２　　懐中電灯取り付けバンド
３　　懐中電灯止めネジ
４　　懐中電灯レンズ
５　　カバー
６　　カバーの立ち上がり部
７　　操作レバー
８　　糞受けプレート
９　　糞受けプレートの立ち上がり部
１０　駆動バー
１１　駆動バー回転軸（容易に回転できる構造）
１２　駆動バー移動軸（容易に移動できる構造）
１３　駆動バー袋押さえ部
１４　矢印１５とを結ぶ線を中心として図３の切断面を示す
１５　矢印１４とを結ぶ線を中心として図３の切断面を示す
１６　矢印１７とを結ぶ線を中心として左右対称
１７　矢印１６とを結ぶ線を中心として左右対称
１８　駆動バー移動軸移動溝
１９　糞受け袋
２０　糞受け袋取り付け枠
２１　糞受け袋取り付け枠前部
２２　カバー５の回転軸（容易に回転できる構造）
２３　正面図図３の見る方向を示す
２４　懐中電灯取り付け下部固定バンド
２５　２４と糞受けプレート８の立ち上がり部９の溶着部
２６　糞受け袋の縁
２７　矢印２８とを結ぶ線を中心として左右対称
２８　矢印２７とを結ぶ線を中心として左右対称
２９　カバー５の開口部
３０　糞受けプレート８の糞掬い部
３１　糞受け袋枠止め具
３２　操作レバー７の開口操作方向を示す矢印
３３　操作レバー７の閉口操作方向を示す矢印
３４　駆動バー移動軸１２の移動方向を示す矢印
３５　糞受け袋１９の移動方向を示す矢印
３６　カバー５の上下移動方向を示す矢印
３７　糞の受け入れ移動方向を示す矢印
【図１】
0003098309.tif 000003
【図２】
0003098309.tif 000004
【図３】
0003098309.tif 000005
【図４】
0003098309.tif 000006
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
糞を掬い取るためのスコップ状の糞掬い部及び該糞掬い部を覆うカバー部及び該糞掬い部基部に夜間の糞の処理のための光源と携行のための把ッ手を兼用する懐中電灯をその光軸が該糞掬い部上面に平行になるように取り付けてなる犬の糞取り用具。
【手続補正書】
【提出日】平成15年3月5日(2003.3.5)
【手続補正１】
【補正対象書類名】明細書
【補正対象項目名】実用新案登録請求の範囲
【補正方法】変更
【補正の内容】
【実用新案登録請求の範囲】
【請求項１】
懐中電灯を取り付けた犬の糞取り用具
【請求項２】
夜間等に糞取り具に取り付けた懐中電灯の光の中で糞取り作業をしようとする場合、糞を掬い取る部分に光を当てなければならないため懐中電灯の光軸が糞掬い部の上部になくてはならないが、糞掬い部は汚れやすいため携行時には覆い（以下、カバーと称する）が必要であり、糞掬い部にカバーを取り付けるとカバーの開閉によって懐中電灯の光が妨げられることになるが、本案は、糞掬い部とカバーを容易に動かし得るよう蝶番構造で連結し、更に、カバーの開閉時に懐中電灯に当たる部分を削り取るることによって懐中電灯の光を妨げずカバーを容易に開閉することを可能にしたことを特徴とする犬の糞取り用具である。
【請求項３】
従来の糞取り具では、糞を取り込んだ袋（以下、糞袋と称する）がぶらついて携行の妨げになるので、本案は、汚れやすい糞取り部のカバーの開閉と連動する枠状の押さえ具によって糞袋の一部を押さえ、ぶらつきを防ぐ工夫をしたことを特徴とする犬の糞取り用具である。